(57)【要約】      （修正有）【課題】  パンチロッドの打ち付けテストが出来る釘打ち機のためのブレーキングユニットを提供する。【解決手段】  前面のブロッキング部２４、第一のカム２５、第二のカム２６、ハンドル部とからなっている釘打ち機のブレーキングユニットである。第一のカムは安全用スライドロッド３と噛み合っており、スライドロッドを抑制する。第二のカムは、パンチ通路に挿入され、通路に入る釘と接触している。釘のカートリッジが充填されたときには、リテーニングユニット２は安全用スライドロッドから外され、釘４を打つための引き金を引くことが出来る。カートリッジが空になったのを検出すると、スライドロッドが抑制され、引き金を引くのを妨げる。ハンドル部を押すと、第一のカムと第二のカムとがパンチ通路の外側に回転し、釘のカートリッジが空であっても釘打ちテストができる。【選択図】  図２
2006224355.tif 000002
【特許請求の範囲】
【請求項１】
釘打ち機のパンチ通路の横側に回転するように設けられたロータリー・リテーニングユニットとしてのブレーキングユニットで、
安全用スライドロッドの横断片に噛み合うことができる前面のブロッキング部と；
リテーニングユニットをパンチ通路から離すように、該安全用スライドロッドの横断片に噛み合うことができる傾斜面があり、その傾斜面を通じて該前面のブロッキング部に連結された第一のカムと；
凹部を通じて第一のカムに連結され、該パンチ通路の複数の釘に触れるように、該パンチ通路に挿入されることができ、釘に押されて第一のカムと前面のブロッキング部の回転を起動する第二のカムと；
該リテーニングユニットの一端に形成され、該パンチ通路の外に、リテーニングユニットの第一のカムと第二のカムを回転するように押すハンドル部；
とからなり、横断片を備えた安全用スライドロッドを持つことを特徴とする釘打ち機のブレーキングユニット。
【請求項２】
リテーニングユニットがパンチ通路の外側の外装カバーに回転するように取り付けられたことを特徴とする請求項１に記載の釘打ち機のブレーキングユニット。
【請求項３】
外装カバーがパンチ通路の一方の側のカバープレートに取り付けられていることを特徴とする請求項２に記載の釘打ち機のブレーキングユニット。
【請求項４】
カバープレートがパンチ通路に入るリテーニングユニットの第二のカムを導くためのリテーニングスロットとともに提供されることを特徴とする請求項３に記載の釘打ち機のブレーキングユニット。
【請求項５】
外装カバーの両側の壁が安全用スライドロッドの横断片の動きを受け入れるように、それぞれ通過スロットとともに提供されることを特徴とする請求項３に記載の釘打ち機のブレーキングユニット。
【請求項６】
外装カバーの壁の先端がハンドル部を通すためのスロットとともに提供されることを特徴とする請求項３に記載の釘打ち機のブレーキングユニット。
【請求項７】
凹部が安全用スライドロッドの横断片収めることができることを特徴とする請求項１に記載の釘打ち機のブレーキングユニット。
【発明の詳細な説明】
【技術分野】
【０００１】
本発明は、釘打ち機のブレーキングユニットに係わり、特に、釘打ち機のなかに釘が有るか無いか、並びに安全用スライドロッドが系止されているか外されているかを検出できるロータリー・リテーニングユニットを利用したブレーキングユニットに関するものである。
【背景技術】
【０００２】
従来技術による釘打ち機のブレーキングユニットは、釘のカートリッジが空になったときに、釘打ち機の引き金を無効にするものであり、ユーザーはパンチャーに釘を再装填するのを思い出させられる。
上に述べたような多数の釘が一列に並べられ、釘のカートリッジに挿入される。それらの釘は、一本ずつ釘押し機によりパンチ通路に押し出される。ユーザーが引き金を引くと、パンチ通路の釘はパンチロッドにより打たれて、ワークピースに埋め込まれる。引き金には、インナープレートとトリガーステムがあり、トリガーステムは横断片を持つ安全用スライドロッドで制御されている。安全用スライドロッドの一端は、釘の出口の外側にあり、釘をワークピースに打ち込むときにそのワークピースの表面を押さえるファスナーガイドに連結されている。安全用スライドロッドは、トリガーステムを押すように、インナープレートに対して傾けて使用される。
【０００３】
従来技術によるパンチの系止は、基本的に釘押し機と安全用スライドロッドに取り付けられたブレーキングユニットであり、それにより、釘が全て消費されたときに、釘押し機は安全用スライドロッドを保持し、安全用スライドロッドは引き金のなかのインナープレートに触れることができない。引き金が無効になるので、ユーザーは釘を再充填することを思い出させられる。しかし、この技術は、パンチャーのなかに残っている釘が有るかどうかを検出できない。その上、釘押し機の動作が制御困難で、釘がからまるという問題がある。
【０００４】
さらに、米国特許６２６７２８４号公報に開示されている発明は、メインカムと第二のカムを持つラッチを利用し、そこでは、パンチ通路に釘がないときに、第二のカムがファスナーガイドを保持してパンチロッドとパンチング機能を無効にできる。メインカムは、パンチ通路の釘に押されて、パンチロッドが動作出来る位置に、ラッチを回転させる。
【０００５】
しかし、その発明は、次に示すような欠点を持っている。
１．スイングラッチには、ラッチのスイング位置にとって柔軟な部分とマニュアル制御の部分がない。柔軟な部分がないので、ラッチを初めの位置に戻すための精密な機構に不足が生じる。パンチ通路が空になり、ファスナーガイドがワークピースに噛み合っていないとき、ラッチはスイングし、ブレーキング状態を示すことが出来ない。パンチ通路が空のときには、パンチロッドを外して釘打ちテストを行うことも出来ない。
２．メインカムの断面は三角形で、パンチロッドがパンチ通路に干渉しないように、高精度のスイングが要求される。長時間の使用の後では、メインカムは、パンチロッドに打たれやすくなる。
３．スイングラッチは、ファスナーガイドと円弧型の第二のカムを保持するために、ノーズの部分にある。ノーズと第二のカムは、安全用スライドロッドの代わりに、ファスナーガイドを保持するのに使われ、それはファスナーガイドに連結され曲がった横断片をもつ安全用スライドロッドがついた通常の釘打ち機とは違うものである。したがって、その発明を普通の釘打ち機の構造に使うのは容易ではない。
【特許文献１】米国特許６２６７２８４号公報
【発明の開示】
【発明が解決しようとする課題】
【０００６】
本発明の主たる目的は、横断片をもつ安全用スライドロッドがついた釘打ち機のためのブレーキングユニットを提供することであり、それにより、釘のカートリッジが空になったときに、釘を打つ機構が系止される。ブレーキングユニットは、釘打ち機に釘があるかどうかを検出でき、安全用スライドロッドを系止したり外したりすることができる。
本発明の第二の目的は、パンチ通路に沿ってパンチロッドの打ち付けテストが出来るように、安全用スライドロッドを系止する機能を外すことができるような釘打ち機のブレーキングユニットを提供することである。
【課題を解決するための手段】
【０００７】
上記のような目的を達成するために、本発明は、横断片をもつ安全用スライドロッドがついた釘打ち機のためのブレーキングユニットを提供する。そのブレーキングユニットは、釘打ち機のパンチ通路の横側に、回転するように取り付けられたロータリー・リテーニングユニットであり、次のものを含んでいる。該安全用スライドロッドの横断片を噛み合わせることができる前面のブロッキング部と；傾斜した面を通して該前面のブロッキング部に連結された第一のカムで、該傾斜した面は、該リテーニングユニットをパンチ通路から離れさせるように、該安全用スライドロッドの横断片に噛み合わせることができる第一のカムと；凹部を通じて第一のカムと連結された第二のカムで、該第二のカムは、多数の釘に接触するように該パンチ通路に挿入でき、該釘に押されて該第一のカムと該前面のブロッキング部の回転を促すことができる第二のカムと；該リテーニングユニットの横の端に形成されたハンドル部で、該ハンドル部は該パンチ通路の外にある該リテーニングユニットの該第一のカムと該第二のカムとを回転させるように押される。
本発明の様々な目的と利点は、添付の図面と、次に述べる詳細な説明によりさらに理解できるであろう。
【発明の効果】
【０００８】
本発明のブレーキングユニットにより、釘のカートリッジが空になったときに、釘を打つ機構が系止される。ブレーキングユニットは、釘打ち機に釘があるかどうかを検出でき、安全用スライドロッドを系止したり外したりすることができるようになった。また、パンチロッドの打ち付けテストが出来るようにした。
【発明を実施するための最良の形態】
【０００９】
図１に、釘打ち機のブレーキングユニットとしての本発明の好ましい一実施例を示す。それは、パンチ通路１３の外側に取り付けられたカバープレート１１の上に形成されたリテーニイングスロット１７と、リテーニイングスロット１７を保護するために、カバープレート１１の上に取り付けられた外側のカバー１８と、外側のカバー１８の両側に設けられた一対の回転軸の孔１８１を通した軸２２により、外側のカバー１８と回転できるように連結されたリテーニングユニット２とからなる。これによりリテーニングユニット２は、その一端がパンチ通路１３のなかに挿入されるように回転することができる。同時に、外側のカバー１８の両側壁は、曲がった安全用スライドロッド３の横断片３３が通り抜けるように、通過スロット１９と共に提供されている。
【００１０】
上に述べた釘打ち機１の安全用スライドロッド３には、その一端に噛み合わせ部３２があり、引き金１０のインナープレート１０１を押すことが出来る。安全用スライドロッド３の他端には、釘の深さを調整するノブ３１を通して押しつけロッド３４に連結されている。押しつけロッド３４の端部はファスナーガイド３５を形成し、それは、図１に示すように、釘の出口１５の底側から外側にある。釘を打つのに、図６に示すように、ファスナーガイド３５がワークピース５押しつけるように動作し、押しつけロッド３４は安全用スライドロッド３の横断片３３を動かし、噛み合わせ部３２が上にあがる。逆の過程では、図１に示すように、ファスナーガイド３５がワークピース５の表面から離れ、安全用スライドロッド３の横断片３３と噛み合わせ部３２が初期の状態にもどる。横断片３３は安全用スライドロッド３の中間の曲がった部分で、カバープレート１１の両側の壁にある通過スロット１９を通して挿入されている。ファスナーガイド３５は安全用スライドロッド３に連結されているので、横断片３３は通過スロット１９にそって、一緒に動くことが出来る。
【００１１】
前記のリテーニングユニット２は、図２に示すように、前面のブロッキング部２４，第一のカム２５，第二のカム２６とからなる。第一のカム２５と第二のカム２６との間には、凹部２７がある。第一のカム２５はスロープ２５２を通って前面のブロッキング部２４に繋がっており、通過スロット１９の中で上に動く横断片３３が、図３と図４に示すように、スロープ２５２または前面のブロッキング部２４を押す。
【００１２】
第二のカム２６の前端は接触面２６１になっており、図４に示すように、使われないで残っている釘４１を検出するために、パンチ通路１３に挿入出来るようになっている。したがって、リテーニングユニット２は、１本の釘の厚みに対応する角度だけ回転する。さらに、第二のカム２６は、パンチ通路１３にまだ釘があるかどうかを検出できる。もし釘がなければ、リテーニングユニット２は回転しない。
リテーニングユニット２は、さらに突起２３を含み、その上にスプリング２１が設けられている。スプリング２１は、リテーニングユニット２と外側のカバー１８とに挟まれていて（図３に示すように）、リテーニングユニット２を初期の位置に戻すことが出来るようになっている。さらに、スプリング２１は、トーションスプリング、インナープレートまたは元に戻る力を提供できる他の柔軟なユニットに置き換えることができる。なかでも、リテーニングユニット２の突起２３は、選択された柔軟なユニットの構造にしたがって、スロット、フック、突起があるリブなど他の保持構造に置き換えられる。さらに、好ましい実施例においては、リテーニングユニット２に取り付けられた柔軟なユニットとして、トーションスプリングが選択され、軸２２に設けられる。したがって、リテーニングユニット２を初期の位置に回す機能をもつなら、どのような柔軟なユニット（および関連する構造）でも、本発明の技術分野に属するものである。
【００１３】
次に、釘打ち機のブレーキングユニットとして、本発明の用途を説明する。
図３に示すように、釘打ち機１の釘のカトリッジ１４に、釘４が入っていない場合には、弾力がある釘押し機１６はまだ釘４に触れていない。言い換えれば、釘のカトリッジ１４に釘４がなく、パンチ通路１３にも釘４１がないということである。スプリング２１により動くリテーニングユニット２は、第二のカム２６の接触面２６１を押し出して、パンチ通路１３の底の壁に触れるようにする。すなわち、リテーニングユニット２が回り、前面のブロッキング部２４が横断片３３の上の位置に来て、安全用スライドロッド３の上昇を防止する。これにより、ファスナーガイド３５は、表面に当たって押されても動くことが出来ないので、安全用スライドロッド３の噛み合わせ部３２はインナープレート１０１に触れない。したがって、ユーザーが引き金１０を引いても、インナープレート１０１は、釘打ちを起動するためのトリガーステム１０２を動かさないので、ユーザーは釘４を再充填するのに気が付く。
【００１４】
複数の釘４が釘のカトリッジ１４に満たされると、図４に示すように、釘４が釘押し機１６により、パンチ通路１３に導かれる。パンチ通路１３の中の釘４１はリテーニングユニット２の第二のカム２６の接触面２６１を押し、釘の厚みに相当する角度だけリテーニングユニット２を回転させる。その結果、リテーニングユニット２の第一のカム２５のスロープ２５２が安全用スライドロッド３の上に来て、安全用スライドロッド３がそれに接触できる。図５に示すように、ユーザーがワークピース５の表面にファスナーガイド３５を軽く押しつけると、ファスナーガイド３５に連結された押しつけロッド３４が安全用スライドロッド３の横断片３３を動かし、第一のカム２５のスロープ２５２を押し、リテーニングユニット２が動いて、第二のカム２６がパンチ通路１３から離れる。ユーザーがワークピース５の表面にファスナーガイド３５を強く押しつけると、（図６に示すように）安全用スライドロッド３の横断片３３が、第一のカム２５のスロープ２５２から凹部２７に動き、リテーニングユニット２がさらに大きく回って、第二のカム２６がパンチ通路１３から離れ、第二のカム２６はもはやパンチロッド１２の動きを妨げない。同時に、安全用スライドロッド３の噛み合わせ部３２は、引き金１０のなかのインナープレート１０１に噛み合って上に動く。これにより、ユーザーは引き金１０を引くことが出来、トリガーステム１０２が起動し、続いてパンチロッド１２を動かし釘４を打つ。
【００１５】
言い換えれば、釘４と釘４１を使い切ってしまったときには、スプリング２１で動くリテーニングユニット２が、図３に示すような、元の形に戻る。この形では、安全用スライドロッド３は引き金１０のなかのインナープレート１０１には触れられず、ユーザーはインナープレート１０１を動かすための引き金１０を引くことが出来ない。勿論、トリガーステム１０２は起動しない。これが、ユーザーに再充填を気付かせることになる。
【００１６】
さらに、もう一つの好ましい実施例（図７に示す）では、リテーニングユニット２の片側にハンドル部２８があり、外側のカバー１８のスロット１８２を通して外に突き出ており、ユーザーがリテーニングユニット２を軸２２のまわりに回すことができる。したがって、リテーニングユニット２の第一のカム２５と第二のカム２６が動いて、図８に示すように、パンチ通路１３から離れる。これにより、ユーザーは、安全用スライドロッド３と引き金１０を引くことができ、パンチロッド１２をパンチ通路１３にそって動かすことができ、パンチテストを行うことができる。
【００１７】
これまでは、特に、釘打ち機の中の釘を検出するのにリテーニングユニットを使う技術について述べた。パンチ通路が空のときに、釘打ち機能が自動的に制限される。さらに、そのようなブレーキング機能も制限される。
さらに、リテーニングユニット２の外側のカバー１８は、本発明の必需部品ではない。本発明によるリテーニングユニット２の回転軸はカバープレート１１の両側に形成された支持部に設置されてもよい。この場合、リテーニングスプリング２１は、元に戻すことを達成するために、支持部に設置される。
【００１８】
ここに記述された発明には、多くの変形があるのは明白である。そのような変形は本発明の精神と範囲は外れるものではなく、当該技術分野の当業者によるそのような全ての変更は、次ののべる請求の範囲に属するものである。
【図面の簡単な説明】
【００１９】
【図１】引き金の位置と安全用スライドロッドとリテーニングユニットと外装とを説明するための本発明による釘打ち機の側面図である。
【図２】本発明による釘打ち機のブレーキングユニットの斜視図である。
【図３】本発明により、釘打ち機のなかのブレーキングユニットの位置を説明するための部分断面図であり、釘のカートリッジが空になったとき、リテーニングユニットの第二のカムがパンチ通路の底の壁に触れて、リテーニングユニットの前面のブロキング部が、安全用スライドロッドが上昇しないように系止している図である。
【図４】本発明によるもう一つの部分断面図で、釘のカートリッジが装填され、釘が釘の押し出し機でパンチ通路に押し出され、リテーニングユニットの第二のカムが上に動いてリテーニングユニットの回転を促し、第一のカムの傾斜した面が安全用スライドロッドの横断片に噛み合っている図である。
【図５】本発明によるもう一つの部分断面図で、ファスナーガイドがワークピースの表面に軽く押し付けられ、安全用スライドロッドの横断片がリテーニングユニットの傾斜した面に触れて、第二のカムがパンチ通路から離れている図である。
【図６】本発明によるもう一つの部分断面図で、ファスナーガイドがワークピースの表面に強く押し付けられ、リテーニングユニットがかなりの揺動を受けて、第二のカムがパンチ通路から離れて、安全用スライドロッドが引き金のなかのインナープレートを押し、釘打ちを作動させる図である。
【図７】本発明によるもう一つの部分断面図で、ハンドル部がリテーニングユニットの一つの横側に形成されている図である。
【図８】図７に係わるもう一つの断面図で、ハンドル部が引かれて、リテーニングユニットの第二のカムがパンチ通路から離れている図である。
【符号の説明】
【００２０】
２  リテーニングユニット
３  安全用スライドロッド
４  釘
１０  引き金
１３  パンチ通路
１４  釘のカトリッジ
１９  通過スロット
２１  スプリング
２４  前面のブロッキング部
２５  第一のカム
２６  第二のカム２６
２７  凹部
３２  噛み合わせ部３２
３３  横断片３３
３４  押しつけロッド３４
１０１  インナープレート
２５２  スロープ
２６１  接触面
【図１】
2006224355.tif 000003
【図２】
2006224355.tif 000004
【図３】
2006224355.tif 000005
【図４】
2006224355.tif 000006
【図５】
2006224355.tif 000007
【図６】
2006224355.tif 000008
【図７】
2006224355.tif 000009
【図８】
2006224355.tif 000010